【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
第１入力端子と第２入力端子との間に接続されるインダクタンス素子に予め定められた振幅以上の交流電圧が誘起されたか否かを検出する交流電圧検出回路において、
前記第１入力端子に接続される第１容量素子と、
前記第２入力端子に接続される第２容量素子と、
前記インダクタンス素子に交流電圧の誘起が開始されると、前記第１または第２入力端子のうち一方の入力端子に接続される容量素子を含む充電経路を形成する一方、他方の入力端子に接続される容量素子を含む充電経路を遮断する充電手段と、
前記第１入力端子および前記第２入力端子の各電圧を基準電圧と比較し、比較結果に応じて前記インダクタンス素子に交流電圧が誘起されたことを検出する検出手段と
を備えたことを特徴とする交流電圧検出回路。
【請求項２】
第１入力端子と第２入力端子との間に接続されるインダクタンス素子に予め定められた振幅以上の交流電圧が誘起されたか否かを検出する交流電圧検出回路において、
前記第１入力端子とライン間に接続される第１ダイオードと、
前記第１入力端子と前記ライン間に接続される第１容量素子および第１スイッチング素子と、
前記第２入力端子と前記ライン間に接続される第２ダイオードと、
前記第２入力端子と前記ライン間に接続される第２容量素子および第２スイッチング素子と、
前記インダクタンス素子に連続した交流電圧が誘起されている期間は、前記第１または第２スイッチング素子のうちいずれか一方をオンし、他方をオフするように制御するとともに、前記第１および第２入力端子のうち当該期間終了直前に端子電圧が低い方の入力端子と前記ライン間に接続されるスイッチング素子を当該期間終了後にオンするように制御する制御部と、
前記第１入力端子および前記第２入力端子の各電圧を基準電圧と比較し、比較結果に応じて前記インダクタンス素子に予め定められた振幅以上の交流電圧が誘起されたことを検出する検出部と
を備えたことを特徴とする交流電圧検出回路。
【請求項３】
前記第１または第２容量素子のうち、前記検出部によって交流電圧が誘起されたことが検出された時点において充電されている素子の電荷を放電する放電部を備えたことを特徴とする請求項２に記載の交流電圧検出回路。
【請求項４】
前記放電部は、前記第１入力端子と前記ライン間に接続される第３スイッチング素子と、前記第２入力端子と前記ライン間に接続される第４スイッチング素子とを備え、前記検出部によって予め定められた振幅以上の交流電圧が誘起されたことが検出された時点において、前記第１または第２スイッチング素子のうちオンとなっている素子に対応する前記第３または第４スイッチング素子をオンさせることを特徴とする請求項３に記載の交流電圧検出回路。
【請求項５】
第１入力端子と第２入力端子との間に接続されるインダクタンス素子に誘起される交流電圧を整流して、第１ラインと第２ライン間に接続される容量素子に充電する充電回路において、
前記第１ラインと前記第１入力端子間に接続される第１スイッチング素子と、
前記第１ラインと前記第２入力端子間に接続される第２スイッチング素子と、
前記第２ラインと前記第１入力端子間に並列に接続される第３スイッチング素子および第１ダイオードと、
前記第２ラインと前記第２入力端子間に並列に接続される第４スイッチング素子および第２ダイオードと、
前記第２ラインと前記第１入力端子間に直列に接続される第５スイッチング素子および第１補助容量素子と、
前記第２ラインと前記第２入力端子間に直列に接続される第６スイッチング素子および第２補助容量素子と、
前記第１および第２ラインの各電位と、前記第１および第２入力端子の各電位とに基づいて、前記第１乃至第４スイッチング素子のオン・オフを制御する第１制御部と、
前記第１および第２入力端子と前記第２ライン間の各電圧を基準電圧と比較し、比較結果に応じて前記インダクタンス素子に予め定められた振幅以上の交流電圧が誘起されたことを検出すると、前記第１制御部に電源を給電する給電部と、
前記インダクタンス素子に連続した交流電圧が誘起されている期間の終了直前に端子電圧が低い方の入力端子に対応する前記第５または第６スイッチング素子を当該期間終了後にオンさせる第２制御部と
を備えたことを特徴とする充電回路。
【請求項６】
前記第１または第２容量素子のうち、前記給電部によって予め定められた振幅以上の交流電圧が誘起されたことが検出された時点において充電されている素子の電荷を放電する放電部を備えたことを特徴とする請求項５に記載の充電回路。
【請求項７】
前記放電部は、前記給電部によって予め定められた振幅以上の交流電圧が誘起されたことが検出された時点において前記第５または第６スイッチング素子のうちオンとなっている素子に対応する前記第３または第４スイッチング素子をオンさせることを特徴とする請求項６に記載の充電回路。
【請求項８】
第１入力端子と第２入力端子との間に接続されるインダクタンス素子に誘起される交流電圧をクロック信号に同期してチョッパ昇圧し、第１ラインと第２ライン間に接続される容量素子に充電するチョッパ充電回路において、
前記第１ラインと前記第１入力端子間に接続される第１スイッチング素子と、
前記第１ラインの電位と前記第１入力端子の電位を比較し、比較結果に基づいて前記第１スイッチング素子のオン・オフを制御する第１制御部と、
前記第１ラインと前記第２入力端子間に接続される第２スイッチング素子と、
前記第１ラインの電位と前記第２入力端子の電位を比較し、比較結果に基づいて前記第２スイッチング素子のオン・オフを制御する第２制御部と、
前記第２ラインと前記第１入力端子間に並列に接続される第３スイッチング素子および第１ダイオードと、
前記第２ラインの電位と前記第１入力端子の電位を比較し、比較結果に基づいて、前記第３スイッチング素子を前記クロック信号に同期してオン・オフさせる第３制御部と、
前記第２ラインと前記第２入力端子間に並列に接続される第４スイッチング素子および第２ダイオードと、
前記第２ラインの電位と前記第２入力端子の電位を比較し、比較結果に基づいて、前記第４スイッチング素子を前記クロック信号に同期してオン・オフさせる第４制御部と、
前記第２ラインと前記第１入力端子間に直列に接続される第５スイッチング素子および第１補助容量素子と、
前記第２ラインと前記第２入力端子間に直列に接続される第６スイッチング素子および第２補助容量素子と、
前記第１および第２入力端子と前記第２ライン間の各電圧を基準電圧と比較し、比較結果に応じて前記インダクタンス素子に予め定められた振幅以上の交流電圧が誘起されたことを検出する検出部と、
前記検出部によって、予め定められた振幅以上の交流電圧が誘起されたことが検出された後、前記第１乃至４制御部に電源を給電する給電部と、
前記インダクタンス素子に連続した交流電圧が誘起されている期間の終了直前に端子電圧が低い方の入力端子に対応する前記第５または第６スイッチング素子を当該期間終了後にオンさせる補助容量素子選択部と
を備えたことを特徴とするチョッパ充電回路。
【請求項９】
前記第１または第２補助容量素子のうち、前記検出部によって予め定められた振幅以上の交流電圧が誘起されたことが検出された時点において充電されている素子の電荷を放電する放電部を備えたことを特徴とする請求項８に記載のチョッパ充電回路。
【請求項１０】
前記放電部は、前記検出部によって予め定められた振幅以上の交流電圧が誘起されたことが検出された時点において前記第５または第６スイッチング素子のうちオンとなっている素子を、当該素子に対応する前記第３または第４スイッチング素子のオン・オフに同期してオン・オフさせることを特徴とする請求項９に記載のチョッパ充電回路。
【請求項１１】
前記検出部によって予め定められた振幅以上の交流電圧が誘起されたことが検出された時点において前記第１または第２補助容量素子に蓄電されている電荷を前記容量素子に転送する転送手段を備えたことを特徴とする請求項８に記載のチョッパ充電回路。
【請求項１２】
前記転送手段は、前記第１ラインと前記第１入力端子間に接続される第７スイッチング素子と、前記第１ラインと前記第２入力端子間に接続される第８スイッチング素子とを備え、前記検出部によって予め定められた振幅以上の交流電圧が誘起されたことが検出されてから一定期間において、前記第７および第８スイッチング素子を同時にオン・オフさせ、前記第１または第２容量素子のうち電荷が蓄電されていないものに対応する前記第５または第６スイッチング素子のうち一方をオフさせるとともに、他方のスイッチング素子を前記第７および第８スイッチング素子と相補的にオン・オフさせることを特徴とする請求項１１に記載のチョッパ充電回路。
【請求項１３】
前記給電部は、前記第３および前記第４制御部に給電した後、前記第１および前記第２制御部への給電を開始することを特徴とする請求項８に記載のチョッパ充電回路。
【請求項１４】
前記検出部の消費電流を前記第３および第４制御部の消費電流よりも低く、前記第３および第４制御部の消費電流を前記第１および第２制御部の消費電流よりも低く設定したことを特徴とする請求項８に記載のチョッパ充電回路。
【請求項１５】
請求項８記載のチョッパ充電回路を内蔵するとともに、前記チョッパ充電回路から給電される電力によって、動作することを特徴とする電子機器。
【請求項１６】
請求項８記載のチョッパ充電回路と、
前記チョッパ充電回路から給電され、時刻を計測する時計回路と
を備えることを特徴とする計時装置。
【請求項１７】
第１容量素子が接続される第１入力端子と第２容量素子が接続される第２入力端子との間に介挿されるインダクタンス素子に予め定められた振幅以上の交流電圧が誘起されたか否かを検出する交流電圧検出方法において、
前記インダクタンス素子に交流電圧の誘起が開始されると、前記第１または第２入力端子のうち一方の入力端子に接続される容量素子を含む充電経路を形成する一方、他方の入力端子に接続される容量素子を含む充電経路を遮断し、
前記第１入力端子および前記第２入力端子の各電圧を基準電圧と比較し、
比較結果に応じて前記インダクタンス素子に交流電圧が誘起されたことを検出する
ことを特徴とする交流電圧検出方法。
【請求項１８】
第１入力端子とライン間に接続される第１ダイオードと、第１入力端子と前記ライン間に接続される第１容量素子および第１スイッチング素子と、第２入力端子と前記ライン間に接続される第２ダイオードと、第２入力端子と前記ライン間に接続される第２容量素子および第２スイッチング素子とを備えた検出回路を用いて、前記第１入力端子と前記第２入力端子との間に接続されるインダクタンス素子に予め定められた振幅以上の交流電圧が誘起されたか否かを検出する交流電圧検出方法であって、
前記インダクタンス素子に連続した交流電圧が誘起されている期間は、前記第１または第２スイッチング素子のうちいずれか一方をオン、他方をオフさせ、
前記第１および第２入力端子のうち当該期間終了直前に端子電圧が低い方の入力端子と前記ライン間に接続されるスイッチング素子を当該期間終了後にオンさせ、
前記第１入力端子および前記第２入力端子の各電圧を基準電圧と比較し、
比較結果に応じて前記インダクタンス素子に予め定められた振幅以上の交流電圧が誘起されたことを検出する
ことを特徴とする交流電圧検出方法。
【請求項１９】
第１ラインと第１入力端子間に接続される第１スイッチング素子と、前記第１ラインと第２入力端子間に接続される第２スイッチング素子と、前記第２ラインと前記第１入力端子間に並列に接続される第３スイッチング素子および第１ダイオードと、前記第２ラインと前記第２入力端子間に並列に接続される第４スイッチング素子および第２ダイオードと、前記第２ラインと前記第１入力端子間に直列に接続される第５スイッチング素子および第１補助容量素子と、前記第２ラインと前記第２入力端子間に直列に接続される第６スイッチング素子および第２補助容量素子とを備えた充電回路を用いて、前記第１入力端子と前記第２入力端子との間に接続されるインダクタンス素子に誘起される交流電圧を整流して、前記第１ラインと前記第２ライン間に接続される容量素子を充電する充電方法であって、
前記第１および第２入力端子と前記第２ライン間の各電圧を基準電圧と比較し、
比較結果に応じて前記インダクタンス素子に予め定められた振幅以上の交流電圧が誘起されたことを検出し、
この検出後に、前記第１および第２ラインの各電位と、前記第１および第２入力端子の各電位とに基づいて、前記第１乃至第４スイッチング素子のオン・オフを制御し、
前記インダクタンス素子に連続した交流電圧が誘起されている期間の終了直前に端子電圧が低い方の入力端子に対応する前記第５または第６スイッチング素子を当該期間終了後にオンさせる
ことを特徴とする充電方法。
【請求項２０】
第１ラインと第１入力端子間に接続される第１スイッチング素子と、前記第１ラインの電位と前記第１入力端子の電位を比較し、比較結果に基づいて前記第１スイッチング素子のオン・オフを制御する第１制御部と、前記第１ラインと第２入力端子間に接続される第２スイッチング素子と、前記第１ラインの電位と前記第２入力端子の電位を比較し、比較結果に基づいて前記第２スイッチング素子のオン・オフを制御する第２制御部と、前記第２ラインと前記第１入力端子間に並列に接続される第３スイッチング素子および第１ダイオードと、前記第２ラインの電位と前記第１入力端子の電位を比較し、比較結果に基づいて、前記第３スイッチング素子を前記クロック信号に同期してオン・オフさせる第３制御部と、前記第２ラインと前記第２入力端子間に並列に接続される第４スイッチング素子および第２ダイオードと、前記第２ラインの電位と前記第２入力端子の電位を比較し、比較結果に基づいて、前記第４スイッチング素子を前記クロック信号に同期してオン・オフさせる第４制御部と、前記第２ラインと前記第１入力端子間に直列に接続される第５スイッチング素子および第１補助容量素子と、前記第２ラインと前記第２入力端子間に直列に接続される第６スイッチング素子および第２補助容量素子とを備えたチョッパ充電回路を用いて、前記第１入力端子と前記第２入力端子との間に接続されるインダクタンス素子に誘起される交流電圧を前記クロック信号に同期してチョッパ昇圧し、前記第１ラインと前記第２ライン間に接続される容量素子を充電するチョッパ充電方法であって、
前記第１および第２入力端子と前記第２ライン間の各電圧を基準電圧と比較し、
比較結果に応じて前記インダクタンス素子に予め定められた振幅以上の交流電圧が誘起されたことを検出し、
前記検出部によって、予め定められた振幅以上の交流電圧が誘起されたことが検出された後、前記第１乃至４制御部に電源を給電し、
前記インダクタンス素子に連続した交流電圧が誘起されている期間の終了直前に端子電圧が低い方の入力端子に対応する前記第５または第６スイッチング素子を当該期間終了後にオンさせる
ことを特徴とするチョッパ充電方法。
【手続補正２】
【補正対象書類名】明細書
【補正対象項目名】００６６
【補正方法】変更
【補正の内容】
【００６６】
そこで、本実施形態においては、基準電圧Vrefをノイズ等の影響を受けないように比較的高く設定してある。また、そのように基準電圧Vrefを設定しても交流発電機ＡＧによる起電圧は、上述したようにサブコンデンサＣ１、Ｃ２とダイオードｄ１、ｄ２によって倍昇圧されるので、起電圧の発生を早く検出することが可能である。くわえて、たとえ出力用コイルＬにパルス状の電磁ノイズが混入したとしても、サブコンデンサＣ１、Ｃ２によって積分されるから、発電検出の誤動作は極めて少ない。これに対して、基準電圧Vref1、Vref2を比較的低い電圧値に設定したのは、ＡＧ２検出部３およびＡＧ１検出部４は、発電状態であることが検出された後、電源が投入されるからである。すなわち、本実施形態では発電状態の検出精度が極めて高いので、基準電圧Vref1、Vref2を比較的低い電圧値に設定しても問題がないのである。


【手続補正３】
【補正対象書類名】明細書
【補正対象項目名】００７７
【補正方法】変更
【補正の内容】
【００７７】
従って、信号φNがローレベルからハイレベルに変化すると、これに伴い信号φRがローレベルからハイレベルに変化してリセットが解除され、タイマカウンタ５による時間計測が開始される。そして、信号φNがハイレベルの状態、すなわち、非発電状態が所定時間継続しカウント値が所定値に達すると、信号φR1がローレベルとなりラッチ手段６がリセットされる。上述したようにラッチ手段６はリセットされると出力信号φSをハイレベルにするので、これにより、始めて信号φSがハイレベルとなり、コンパレータCOM1、COM2の給電が停止される。また、信号φSが発電検出部１０に供給されると、信号φSは反転回路１２とノア回路１３を介して信号φSLとして出力され、これによりコンパレータCOM3、COM4の給電が停止される。